【手続補正書】
【提出日】平成16年8月6日(2004.8.6)
【手続補正１】
【補正対象書類名】明細書
【補正対象項目名】全文
【補正方法】変更
【補正の内容】
【書類名】          明細書
【発明の名称】      パチンコ機
【特許請求の範囲】
【請求項１】  遊技盤裏側に延出される配線と、
前記配線を束ねて保持する配線保持部材と、
前記配線保持部材が取り付けられる取付部材とを備え、
前記配線保持部材は、平板部と、前記平板部の側端縁部から所定長さ直角外側方向に折り曲げられて形成される突出部と、を有し、
前記取付部材は、前記配線保持部材が取り付けられる所定位置に形成される該配線保持部材の位置決め用凹部を有し、
前記位置決め用凹部には、前記突出部に対向する位置に該突出部との接触を避けるための逃がし部が形成されていることを特徴とするパチンコ機。
【請求項２】  前記位置決め用凹部は、前記配線保持部材の取付面形状とほぼ同一形状であることを特徴とする請求項１に記載のパチンコ機。
【請求項３】  前記取付部材は、前記遊技盤裏側に配設される映像表示装置取付板を含むことを特徴とする請求項１又は請求項２に記載のパチンコ機。
【請求項４】  前記映像表示装置取付板は、前記遊技盤のほぼ中央に形成された開口部に対応して形成された窓部と、前記窓部の周縁部に形成される切欠き部とを有し、
前記配線は、前記切欠き部を介して前記遊技盤裏側に延出されることを特徴とする請求項３に記載のパチンコ機。
【請求項５】  前記映像表示装置取付板は、板金により形成されることを特徴とする請求項３又は請求項４に記載のパチンコ機。
【発明の詳細な説明】
【０００１】
【発明の属する技術分野】
本発明は、パチンコ機の裏側に延出される配線の取りまわしに関し、特に、配線が取付部材に取り付けられた配線保持部材によって束ねられて保持される場合に、この配線保持部材の取付位置に位置決め用凹部を形成することにより、配線保持部材の取付ミス等を防止することが可能となると共に、配線の挟み込み等による断線を防止することが可能なパチンコ機に関するものである。
【０００２】
【従来の技術】
従来より、パチンコ機の遊技領域のほぼ中央には、ＣＲＴ（Cathode Ray Tube）やＬＣＤ（Liquid Crystal Display）等を用いた種々の図柄表示装置や、開閉部材を所定角度範囲を以て回動変化させる羽根式等の可動入賞装置等が取り付けられている。そして、これらの図柄表示装置や可動入賞装置の外周部にはＣＲＴ、ＬＣＤ、及び開閉部材等を保護するために保護枠が設けられ、この保護枠には、情報表示用や演出用の電飾ＬＥＤ（Light Emitting Diode）や電飾ランプ等の各種電気部品が取り付けられている。これらの各種電気部品の電源供給用の配線は、遊技盤裏面側に取り付けられる図柄表示装置等の取付板とこの図柄表示装置との間に形成された隙間から遊技盤裏面側に引き出されて、制御回路基板に接続されている。また、これらの各種電気部品の電源供給用の配線は、図柄表示装置の取付板等に取り付けられたワイヤーステッカー等の配線保持部材により束ねられて保持され、制御回路基板に接続されている。
【０００３】
【発明が解決しようとする課題】
しかしながら、これらの各種電気部品の電源供給用の配線を束ねるワイヤーステッカー等の配線保持部材の取付位置の指定は、サンプル品や製造指示図等により行われるため、サンプル品や製造指示図等の確認作業が必要になり取付作業が煩雑になり作業効率が低下するという問題がある。また、ワイヤーステッカー等の配線保持部材の取付位置が作業者によってばらつくという問題や、取付方向間違い等が発生するという問題がある。更に、この取付位置や取付方向の間違いのために、配線の取りまわしに撓み部等が発生して図柄表示装置とこの図柄表示装置の取付板等との間に挟まれて断線等が発生するという問題がある。
【０００４】
そこで、本発明は、上述した問題点を解決するためになされたものであり、図柄表示装置等の取付板の配線保持部材の所定の取付位置に位置決め用凹部を形成することにより、サンプル品や製造指示図等の確認作業が不要になって作業効率の向上を図ることが可能なパチンコ機を提供することを目的とする。また、位置決め用凹部の形状を配線保持部材の取付面の形状にすることにより、取付方向や取付位置の間違いを防止することが可能となると共に、配線の取りまわしの撓み部分等の発生を防ぎ、挟み込みによる断線等を確実に防止できて製品品質の向上を図ることが可能なパチンコ機を提供することを目的とする。
【０００５】
【課題を解決するための手段】
前記目的を達成するために、請求項１に係るパチンコ機は、遊技盤裏側に延出される配線と、前記配線を束ねて保持する配線保持部材と、前記配線保持部材が取り付けられる取付部材とを備え、前記配線保持部材は、平板部と、前記平板部の側端縁部から所定長さ直角外側方向に折り曲げられて形成される突出部と、を有し、前記取付部材は、前記配線保持部材が取り付けられる所定位置に形成される該配線保持部材の位置決め用凹部を有し、前記位置決め用凹部は、前記突出部に対向する位置に該突出部との接触を避けるための逃がし部が形成されていることを特徴とする。
【０００６】
このような特徴を有する請求項１に係るパチンコ機においては、配線を束ねて保持する配線保持部材が、取付部材に取り付けられる。そして、この取付部材の配線保持部材が取り付けられる所定位置に該配線保持部材の位置決めのための位置決め用凹部が形成されている。また、この位置決め用凹部には、該配線保持部材の平板部の側端縁部から所定長さ直角外側方向に折り曲げられて形成される突出部に対向する位置に該突出部との接触を避けるための逃がし部が形成されている。
これにより、作業者は配線保持部材の突出部を位置決め用凹部の逃がし部に合わせつつ、該配線保持部材を位置決め用凹部に取り付ければよいため、取り付ける際にサンプル品や製造指示図等の確認作業が不要になり作業効率の向上を図ることが可能となると共に、配線保持部材の取付方向の間違いを防止することが可能となる。また、前記配線保持部材の取付位置の間違いやバラツキを防止することができるため、配線の取りまわしの撓み部等の発生を防止することが可能となり、配線の挟み込みによる断線等を防止できて製品品質の向上を図ることが可能となる。
【０００７】
また、請求項２に係るパチンコ機は、請求項１に記載のパチンコ機において、前記位置決め用凹部は、前記配線保持部材の取付面形状とほぼ同一形状であることを特徴とする。
【０００８】
このような特徴を有する請求項２に係るパチンコ機では、請求項１に記載のパチンコ機において、前記位置決め用凹部は、前記配線保持部材の取付面形状とほぼ同一形状であるため、この配線保持部材を取り付ける際に、サンプル品や製造指示図等の確認作業無しでも取付方向の間違いを防止することが可能となり、製品品質の向上を図ることが可能となる。
【０００９】
また、請求項３に係るパチンコ機は、請求項１又は請求項２に記載のパチンコ機において、前記取付部材は、前記遊技盤裏側に配設される映像表示装置取付板を含むことを特徴とする。
【００１０】
このような特徴を有する請求項３に係るパチンコ機では、請求項１又は請求項２に記載のパチンコ機において、前記取付部材には、遊技盤の裏側にネジ止め等により固定されてＣＲＴ等が取り付けられる映像表示装置取付板が含まれる。
これにより、ＣＲＴ等が取り付けられる映像表示装置取付板の前記配線保持部材が取り付けられる所定位置には、前記位置決め用凹部が形成されているため、この配線保持部材は所定の位置に取り付けられて、配線がまとまり、且つ、製造仕様通りに配線を取り回すことが可能となると共に、映像表示装置本体の取付時における配線の挟み込みによる断線等を防止できて製品品質の向上を図ることが可能となる。
【００１１】
また、請求項４に係るパチンコ機は、請求項３に記載のパチンコ機において、前記映像表示装置取付板は、前記遊技盤のほぼ中央に形成された開口部に対応して形成された窓部と、前記窓部の周縁部に形成される切欠き部とを有し、前記配線は、前記切欠き部を介して前記遊技盤裏側に延出されることを特徴とする。
【００１２】
このような特徴を有する請求項４に係るパチンコ機では、請求項３に記載のパチンコ機において、前記配線は、前記映像表示装置取付板の窓部の周縁部に形成される切欠き部を介して前記遊技盤裏側に延出される。
これにより、前記配線保持部材によって配線を前記切欠き部に沿うように予め取り付け後、映像表示装置本体を映像表示装置取付板に取り付けることにより、映像表示装置本体による配線の挟み込みが発生しないため、映像表示装置本体の取付時における配線の挟み込みによる断線等を確実に防止できて製品品質の向上を図ることが可能となる。
【００１３】
さらに、請求項５に係るパチンコ機は、請求項３又は請求項４に記載のパチンコ機において、前記映像表示装置取付板は、板金により形成されることを特徴とする。
【００１４】
このような特徴を有する請求項５に係るパチンコ機では、請求項３又は請求項４に記載のパチンコ機において、前記映像表示装置取付板は、板金により形成されるため、この映像表示装置取付板のプレス成形時に前記位置決め用凹部を所定位置に形成することが可能となると共に、製造コストアップを避けつつ製品品質の向上を図ることが可能となる。
【００１５】
【発明の実施の形態】
以下、本発明に係るパチンコ機について、本発明をパチンコ機の映像表示装置取付板につき具体化した実施の形態を図面に基づいて詳細に説明する。
先ず、映像表示装置本体１５の遊技盤１への取付構造について図１に基づいて説明する。図１は本実施形態に係る遊技盤１の裏面側に特別図柄表示装置１２が収納される映像表示装置本体１５を取り付けた状態の側面図である。
図１において、本実施形態のパチンコ機は、いわゆる第１種パチンコ機である。パチンコ機は、始動口、図柄表示装置、電動役物及び、ゲート等の各種構造物が遊技盤１上に配設されている。その遊技盤１のほぼ中央には、開口部２が開設され、この開口部２の前面側に特別図柄表示装置１２の保護枠３が取り付けられている。
また、映像表示装置本体１５は、箱状の特別図柄表示装置収納箱１４内に特別図柄表示装置１２を収納し、遊技盤１の開口部２裏面側より特別図柄表示装置１２を前面に臨ませて、開口部２の裏面側にネジ止めされた映像表示装置取付板４を介して遊技盤１に取り付けられている。この特別図柄表示装置１２はＣＲＴやＬＣＤ等から構成され、その後面側には表示制御を行う表示制御装置（図示されていない）が一体に設けられている。また、映像表示装置収納箱１４の取付側周辺にはフランジ状の取付部１６が設けられ、その四隅にはナイラッチ等の各取付ピン１３、１３、１３、１３が嵌挿される取付ピン孔が形成されている。また、取付部１６の左右外側（図１中、紙面に垂直方向の外側）には位置決め用の取付ガイド凹部が形成されている。
そして、映像表示装置本体１５は、映像表示装置取付板４の左右折曲部に形成された取付ガイド凸部９Ａ、９Ｂ（図２参照）に前記取付ガイド凹部が嵌合されつつ、映像表示装置取付板４の左右折曲部の上下端部に内側に折り曲げられた取付部１０Ａ、１０Ｂ、１０Ｃ、１０Ｄに当接され、各取付部１０Ａ〜１０Ｄに形成された取付ピン孔に取付ピン１３、１３、１３、１３が嵌挿される。その後、映像表示装置本体１５は、ナイラッチ等の各取付ピン１３、１３、１３、１３を拡開させることにより、映像表示装置取付板４に固定される。
【００１６】
また、映像表示装置取付板４の内面に沿ってワイヤーステッカー１２、１２により保持されている配線５は、この映像表示装置本体１５と所定の距離を保ちつつ、映像表示装置取付板４の下側に引き出されている。
【００１７】
次に、パチンコ機の映像表示装置取付板４の全体構成について図２に基づいて説明する。図２は本実施形態に係るパチンコ機の映像表示装置取付板４の取付状態の要部を拡大した背面図である。
【００１８】
図２において、前記保護枠３の前面には、不図示の普通図柄表示装置、この普通図柄表示装置の４個の記憶個数表示ランプ、ＣＲＴやＬＣＤ等の特別図柄表示装置１２（図１参照）の４個の記憶個数表示ランプ、１６個の電飾ＬＥＤ、及び４個の電飾ランプ等が取り付けられている。そして、これらの普通図柄表示装置、この普通図柄表示装置の４個の記憶個数表示ランプ、ＣＲＴやＬＣＤ等の特別図柄表示装置１２の４個の記憶個数表示ランプ、１６個の電飾ＬＥＤ、及び４個の電飾ランプ等の電源供給線等の配線５は、コネクタ６を介して不図示の回路基板に接続される。
【００１９】
また、映像表示装置本体１５（図１参照）が取り付けられる映像表示装置取付板４は、ＳＰＣＣ（亜鉛鋼板）、ＳＥＣＣ（電気亜鉛メッキ鋼板）、ＳＧＣＣ（溶融亜鉛メッキ鋼板）等の板金により形成され、略四角形の平板部の中央部には遊技盤１の開口部２とほぼ等しい大きさの窓部８が設けられている。また、窓部８の上端縁部中央位置には、略コの字形の切欠き部１１が形成され、この切欠き部１１は前記開口部２内に位置するように形成されている。そして、この窓部８が開口部２に対向するように各ネジ７、７、７、７、７、７、７により遊技盤１の裏面にネジ止めされる。また、映像表示装置取付板４の平板部の周縁部は各々所定の高さに裏面側方向へ直角に折り曲げられており、左右の折曲部の端縁部中央には各々取付ガイド凸部９Ａ、９Ｂが形成されている。また、前記左右の折曲部の上下端縁部は内側へほぼ直角に折り曲げられて映像表示装置本体１５の取付部１０Ａ、１０Ｂ、１０Ｃ、１０Ｄが形成されている。また、各取付部１０Ａ〜１０Ｄには映像表示装置本体１５の取付ピン１３（図１参照）が嵌挿される取付穴が形成されている。
【００２０】
また、映像表示装置取付板４の左側（図２中、左側）の折曲部の内側面には、後述する各位置決め用凹部２５、２５（図４参照）にワイヤーステッカー１２、１２（図３参照）が両面テープ２２によって所定方向に貼り付けられている。そして、前記切欠き部１１から引き出された配線５は、平板部に沿って取り回されて、上側のワイヤーステッカー１２によって保持され、折曲部の内側面に沿って裏側方向にほぼ直角に折り曲げられる。そして、配線５は、この上側のワイヤーステッカー１２から折曲部の内側面に沿って下側にほぼ直角に折り曲げられて、下側のワイヤーステッカー１２により保持されて、折曲部の内側面に沿って下側に引き出される。
【００２１】
次に、ワイヤーステッカー１２の構造について図３に基づいて説明する。図３は本実施形態に係るパチンコ機の映像表示装置取付板４に貼り付けられるワイヤーステッカー１２の斜視図である。
図３に示すように、ワイヤーステッカー１２は、アルミ等の薄板により形成され、略長四角形の平板部２１の裏側にはほぼ同じ形状の両面テープ２２が貼り付けられている。また、その一方の長辺部には（図３中、手前の長辺部）２つの所定長さの突出部２３、２３が両端から等しい位置に形成され、ほぼ直角に上側に曲げられている。そして、他方の長辺部のほぼ中央位置にも所定長さの突出部２３が形成され、ほぼ直角に上側に曲げらている。また、各突出部２３、２３、２３の先端は略半円形に形成されている。この各突出部２３、２３、２３を平板部２１側に折り曲げることにより配線５が保持される。
【００２２】
次に、映像表示装置取付板４の各ワイヤーステッカー１２、１２が両面テープ２２によて貼り付けられる位置に形成された位置決め用凹部２５、２５について図４に基づいて説明する。図４は本実施形態に係るパチンコ機の映像表示装置取付板４の左側の折曲部の内側正面図である。
図４に示すように、映像表示装置取付板４の左側の折曲部の内側面（図１中、矢印Ａ方向から見た面）の上端縁近傍位置の略中央位置には、ほぼ水平にワイヤーステッカー１２の底面形状とほぼ同じ形状で所定深さ（本実施形態では、深さ約０．３〜１ｍｍ）の位置決め用凹部２５がプレス成形等により形成されている。この位置決め用凹部２５は、下端縁部にワイヤーステッカー１２の突出部２３との接触を避けるための逃がし部２６が２箇所形成され、上端縁部のほぼ中央にワイヤーステッカー１２の突出部２３との接触を避けるための逃がし部２６が１箇所形成されている。
また、映像表示装置取付板４の左側の折曲部（図１中、矢印Ａ参照）の下方の所定位置には、ほぼ垂直にワイヤーステッカー１２の底面形状とほぼ同じ形状で所定深さ（本実施形態では、深さ約０．３〜１ｍｍ）の位置決め用凹部２５がプレス成形等により形成されている。この位置決め用凹部２５は、右側端縁部にワイヤーステッカー１２の突出部２３との接触を避けるための逃がし部２６が２箇所形成され、左側端縁部のほぼ中央にワイヤーステッカー１２の突出部２３との接触を避けるための逃がし部２６が１箇所形成されている。
これにより、各位置決め用凹部２５、２５にワイヤーステッカー１２を貼り付ける場合に、ワイヤーステッカー１２の各突出部２３、２３、２３が、各逃がし部２６、２６、２６に合わされつつ、貼り付けられる。
【００２３】
また、ワイヤーステッカー１２、１２が配線保持部材を構成し、映像表示装置取付板４が取付部材を構成する。
【００２４】
以上詳細に説明した通り本実施形態に係るパチンコ機の映像表示装置取付板４では、遊技盤１の裏側にネジ止めにより固定される映像表示装置取付板４の左側（図２中、左側）の折曲部の内側面の上端縁部の近傍位置と下方には、ワイヤーステッカー１２の底面形状とほぼ等しい所定深さの位置決め用凹部２５、２５がプレス成形により形成されている。そして、この位置決め用凹部２５、２５の形状に合わせてワイヤーステッカー１２、１２が両面テープ２２により貼り付けられる。続いて、遊技盤１の前面側に設けられる保護枠３に取り付けられた電飾ランプ等の配線５が、前記映像表示装置取付板４の窓部８の上端縁部に形成された切欠き部１１から引き出され、平板部に沿って取り回されて、上側のワイヤーステッカー１２によって保持され、折曲部の内側面に沿って裏側方向にほぼ直角に折り曲げられる。そして、配線５は、この上側のワイヤーステッカー１２から折曲部の内側面に沿って下側にほぼ直角に折り曲げられて、下側のワイヤーステッカー１２により保持されて、折曲部の内側面に沿って映像表示装置取付板４の下側に引き出される。
【００２５】
したがって、前記位置決め用凹部２５、２５は、前記ワイヤーステッカー１２、１２の取付面形状とほぼ同一形状に形成されており、作業者はこのワイヤーステッカー１２、１２を位置決め用凹部２５、２５の形状に合わせて貼り付ければよいため、取り付ける際にサンプル品や製造指示図等の確認作業が不要になり作業効率の向上を図ることが可能となると共に、ワイヤーステッカー１２、１２の取付方向の間違いを防止することが可能となる。また、前記ワイヤーステッカー１２、１２の取付位置の間違いやバラツキを防止することができるため、配線５の取りまわしの撓み部等の発生を防止することが可能となり、映像表示装置本体１５の取付部１６等との挟み込みによる断線等を確実に防止できて、製品品質の向上を図ることが可能となる。また、前記映像表示装置取付板４は、板金により形成されるため、この映像表示装置取付板４のプレス成形時に前記位置決め用凹部２５、２５を所定位置に形成することが可能となると共に、製造コストアップを避けつつ製品品質の向上を図ることが可能となる。
【００２６】
尚、本発明は前記実施形態に限定されるものではなく、本発明の要旨を逸脱しない範囲内で種々の改良、変形が可能であることは勿論であり、以下のようにしてもよい。
（ａ）前記実施形態では、位置決め用凹部２５、２５を映像表示装置取付板４の左側の折曲部内面に形成したが、映像表示装置取付板４の右側の折曲部内面に形成してもよい。
（ｂ）前記実施形態では、ワイヤーステッカー１２、１２を各位置決め用凹部２５、２５に両面テープ２２により貼り付けているが、接着剤等による接着や皿ネジ等によるネジ止め等によって取り付けてもよい。
（ｃ）前記実施形態では、ワイヤーステッカー１２の突出部２３を一方の端縁部に２個、他方の端縁部に１個形成しているが、各々もっと多くの突出部２３を形成してもよい。尚、この場合には、各位置決め用凹部２５の逃がし部２６もそれに対応して、多く形成される。
【００２７】
【発明の効果】
以上説明した通り、図柄表示装置等の取付板の配線保持部材の所定の取付位置に位置決め用凹部を形成することにより、サンプル品や製造指示図等の確認作業が不要になって作業効率の向上を図ることが可能なパチンコ機を提供できる。また、位置決め用凹部の形状を配線保持部材の取付面の形状にすることにより、取付方向や取付位置の間違いを防止することが可能となると共に、配線の取りまわしの撓み部分等の発生を防ぎ、配線の挟み込みによる断線等を防止できて製品品質の向上を図ることが可能なパチンコ機を提供することができる。
【図面の簡単な説明】
【図１】
本実施形態に係る遊技盤の裏面側に特別図柄表示装置が収納される映像表示装置本体を取り付けた状態の側面図である。
【図２】
本実施形態に係るパチンコ機の映像表示装置取付板の取付状態の要部を拡大した背面図である。
【図３】
本実施形態に係るパチンコ機の映像表示装置取付板に貼り付けられるワイヤーステッカーの斜視図である。
【図４】
本実施形態に係るパチンコ機の映像表示装置取付板の左側の折曲部の内側正面図である。
【符号の説明】
１        遊技盤
２        開口部
３        保護枠
４        映像表示装置取付板
５        配線
１１      切欠き部
１２      ワイヤーステッカー
１５      映像表示装置本体
２５      位置決め用凹部